(57)【要約】      （修正有）【課題】ダイヤル錠を作動させる手数が少なく、セキュリティ機能を簡単な構成で付加できるようにした優れたダイヤル錠装置を提供する。【解決手段】ダイヤルユニットと扉２の施錠部４とを関連づけ、ダイヤルが照合状態となることにより自動的に作動してロック状態にある施錠部４を扉２の開成を許容するロック解除状態に移行させるとともに、ロック解除以後に扉２に生じる状態変化から取り出した作動力を利用して再びロック状態に向かう作動をなすようにした。【選択図】図５
2014012985.tif 000002
【特許請求の範囲】
【請求項１】
ダイヤルユニットと扉の施錠部とを関連づけ、ダイヤルが照合状態となることにより自動的に作動してロック状態にある施錠部を扉の開成を許容するロック解除状態に移行させるとともに、ロック解除以後に扉に生じる状態変化から取り出した作動力を利用して再びロック状態に向かう作動をなすようにしたことを特徴とするダイヤル錠装置。
【請求項２】
ロック解除以後に扉に生じる状態変化から取り出した作動力を利用してダイヤルをリセットするようにしている請求項１記載のダイヤル錠装置。
【請求項３】
扉がある程度開成した段階でダイヤルをリセットするようにしている請求項２記載のダイヤル錠装置。
【請求項４】
各ダイヤルごとに一体回転可能な位置に一部に歯欠損部を有するリセット歯車を設けるとともに、これらのリセット歯車に噛合する位置に駆動歯車を配置し、前記作動力により駆動歯車を回転させてリセット歯車とともにダイヤルを送り、歯欠損部で噛合状態が解除された以降に駆動歯車を空転させることを通じて、各リセット歯車を歯欠損部まで送ってダイヤルをリセットするようにしている請求項２又は３記載のダイヤル錠装置。
【請求項５】
ロック位置又はロック解除位置に移動して施錠部の状態を切り替える施解錠切替部を有し、ダイヤルが照合状態となった際に前記施解錠切替部をロック位置からロック解除位置に移動させて施錠部をロック解除状態にし、扉に生じる状態変化から取り出した作動力を利用して施解錠切替部を再びロック位置に向かわせるようにしている請求項１〜４記載のダイヤル錠装置。
【請求項６】
ダイヤルユニットに関連づけて照合検出部を設け、この照合検出部がダイヤルの照合時に作動して、その作動に基づいてロック位置に拘束されていた施解錠切替部の拘束を解除するようにしている請求項５記載のダイヤル錠装置。
【請求項７】
扉に生じる状態変化である開閉動作を利用して、扉を取り付けた筐体から施錠部を再びロック状態に向かわせる際の引っ張り力を作動力として取り出すようにしている請求項１〜６記載のダイヤル錠装置。
【請求項８】
施錠部が、把手に加える操作力を選択的にラッチに伝えるためのクラッチを作動させるものである請求項１〜７記載のダイヤル錠装置。
【請求項９】
施錠部が、把手に加える操作力をラッチに伝えるための伝達部を選択的に拘束するものである請求項１〜７記載のダイヤル錠装置。
【請求項１０】
ロック状態に向かう作動が、次に扉を閉止した際に開成を禁止するロック状態に移行させるものである請求項１〜９記載のダイヤル錠装置。
【発明の詳細な説明】
【技術分野】
【０００１】
本発明は、ダイヤル錠を作動させる手数が少なく、セキュリティ機能を簡単な構成で付加できて、筐体の扉による閉止状態をロックする上で好適に利用できるダイヤル錠装置に関するものである。
【背景技術】
【０００２】
この種のダイヤル錠装置は、ラッチ等の係留部を備えた扉に付随して設けられ、ダイヤル錠を揃えることで係留部を操作し得ないように拘束し、扉を開ける際には係留部の拘束を解除するように構成されるのが一般的である。
【０００３】
そのための具体的な操作としては、ダイヤルを照合させて開けた後には再び係留部を拘束する状態に戻す必要があることを踏まえると、ダイヤルを揃えて摘みを回すことにより開錠して把手を引くようにした旧来のものを始め、特許文献１に示されるようにダイヤルを揃えてから摘みを回して、開錠とゼロリセットを行うようにしたもの等が知られている。
【先行技術文献】
【特許文献】
【０００４】
【特許文献１】特公平６−６０５４４号公報
【発明の概要】
【発明が解決しようとする課題】
【０００５】
ところが、このようなものであると、扉を開ける際にはダイヤルを照合させる操作と摘みを回す操作の少なくとも２段階操作が必要になる。このため、煩わしく、また扉を閉める際には再びダイヤルのリセットや係留部による拘束のための操作をしなければならないため、更に操作の煩雑なものとなっている。また、前者のものは、扉が開いた状態でダイヤルが揃っているため、周囲の者に視認されてセキュリティ上望ましくないという問題もある。さらに従来のものは、扉を閉めた後にも、施錠のために摘みを回すようにしたり、扉を閉めた後に施錠のために摘みを回し、さらに手動でダイヤルを別の番号に回すようにしているので、ここでも操作が煩雑なものとなっている。すなわち、従来のものは扉を開錠してから、再び施錠状態にするまでの手数が多く、使い勝手が煩雑なものである。
【０００６】
本発明は、このような課題に着目してなされたものであって、ダイヤル錠を作動させる手数が少なく、セキュリティ機能を簡単な構成で付加できるようにした優れたダイヤル錠装置を提供することを目的としている。
【課題を解決するための手段】
【０００７】
本発明は、かかる目的を達成するために、次のような手段を講じたものである。
【０００８】
先ず、本発明のダイヤル錠装置は、ダイヤルユニットと扉の施錠部とを関連づけ、ダイヤルが照合状態となることにより自動的に作動してロック状態にある施錠部を扉の開成を許容するロック解除状態に移行させるとともに、ロック解除以後に扉に生じる状態変化から取り出した作動力を利用して再びロック状態に向かう作動をなすようにしたものである。
【０００９】
このように構成すると、ダイヤル錠でありながら照合状態にした後は即座に扉を開けることができるので、少なくとも摘みを回すといった別段の開錠操作が不要となり、操作をワンアクション減らすことができる。そして、ロック解除以後も扉の開閉動作等を利用して次のロック状態に向かわせるので、ダイヤル錠でありながら再度のロックにもスムーズに移行することができ、操作力も殆ど要しないものとなる。この場合、再度のロック状態に向かう作動は、必ずしも扉を閉めた際に自動的にロックが掛かる状態とするものに限らない。
【００１０】
また、ロック解除以後に扉に生じる状態変化から取り出した作動力を利用してダイヤルをリセットするようにした場合には、扉を開けるための操作等を利用してダイヤルが自動リセットされるので、リセットのための別段の操作を不要にし、操作も極めて軽快に行うことができる。なお、ここに言うリセットには、いわゆるゼロリセットとする態様のほか、特定番号にリセットする態様、或いは照合状態をランダムに解除する態様が含まれる。以下、広義でリセットと言うときには同様である。
【００１１】
特に、扉がある程度開成した段階でダイヤルをリセットするように構成した場合には、扉を開け終わるまでに照合番号がリセットされるので、扉を開けた状態で照合番号が周囲の者に視認されることを有効に回避することができる。
【００１２】
リセットの好ましい一態様としては、各ダイヤルごとに一体回転可能な位置に一部に歯欠損部を有するリセット歯車を設けるとともに、これらのリセット歯車に噛合する位置に駆動歯車を配置し、前記作動力により駆動歯車を回転させてリセット歯車とともにダイヤルを送り、歯欠損部で噛合状態が解除された以降に駆動歯車を空転させることを通じて、各リセット歯車の歯欠損部までの送り量に応じた番号にダイヤルをリセットするようにしているものが挙げられる。このように構成すれば、扉に生じる状態変化から駆動歯車及びリセット歯車を介してダイヤルの自動リセット動作を有効に引き起こすことができる。
【００１３】
さらに、ロック位置又はロック解除位置に移動して施錠部の状態を切り替える施解錠切替部を有し、ダイヤルが照合状態となった際に前記施解錠切替部をロック位置からロック解除位置に移動させて施錠部をロック解除状態にし、扉に生じる状態変化から取り出した作動力を利用して施解錠切替部を再びロック位置に向かわせるように構成すれば、ダイヤルの動きと扉の動きがともに施解錠切替部に関連づけられ、ダイヤルを合わせて摘みを回す、或いは扉を開けて摘みを回すといった操作の無駄を施解錠切替部による一連の動作で好適に解決することができる。
【００１４】
また、ダイヤルユニットに関連づけて照合検出部を設け、この照合検出部がダイヤルの照合時に作動して、その作動に基づいてロック位置に拘束されていた施解錠切替部の拘束を解除するようにした場合には、ダイヤルユニットの照合と施解錠切替部の作動とを適切に関連づけることができる。
【００１５】
さらに、扉に生じる状態変化である開閉動作を利用して、扉を取り付けた筐体から施錠部を再びロック状態に向かわせる際の引っ張り力を作動力として取り出すように構成することで、扉を開ける際の動作から作動力を取り出す上で簡易かつ適切な構造となる。
【００１６】
そして、施錠部が、把手に加える操作力を選択的にラッチに伝えるためのクラッチを作動させるものである場合には、クラッチを切っている状態では把手からダイヤル錠装置に無理な操作力が伝わらないので、ダイヤル錠装置の簡素化に有効となる。
【００１７】
他方、施錠部が、把手に加える操作力をラッチに伝えるための伝達部を選択的に拘束するものである場合には、既存の施錠部に後付けでも好適に適用できる利点が得られる。
【００１８】
以上に加えて、ロック状態に向かう作動が、次に扉を閉止した際に開成を禁止するロック状態に移行させるものである場合には、扉を閉めた後に摘みを回して施錠する従来のものに比して、ダイヤル錠でありながら扉を閉めるだけで施錠できるので、摘みを回すといった別段の施錠操作が不要となり、ここにおいても操作をワンアクション減らすことができる。そして、ロック状態への移行も扉の動作等を利用してなされるので、操作力を殆ど要しないものとなる。
【発明の効果】
【００１９】
本発明は、以上説明した構成であるから、ダイヤル錠を作動させる手数が少なく、セキュリティ機能を簡単な構成で有効に付加できるようにした優れたダイヤル錠装置を提供することができる。
【図面の簡単な説明】
【００２０】
【図１】本発明の一実施形態が適用される筐体及び扉を備えた家具を示す斜視図。
【図２】同実施形態におけるダイヤル錠装置の概要を示す正面図。
【図３】同実施形態のダイヤルユニットを示す斜め前方斜視図。
【図４】同実施形態のダイヤル錠装置の概要を示す背面斜視図。
【図５】図４に対応した作用説明図。
【図６】図３に対応した作用説明図。
【図７】図２におけるＡ−Ａ線拡大断面図。
【図８】図２におけるＢ−Ｂ線拡大断面図。
【図９】同実施形態におけるゼロリセットの機能を説明する図。
【図１０】同実施形態におけるゼロリセットの機能を説明する図。
【図１１】同実施形態におけるデッドボルトの作動を説明する図。
【図１２】同実施形態における施解錠切替部の作用説明図。
【図１３】同実施形態における施解錠切替部の作用説明図。
【図１４】同実施形態における施解錠切替部の作用説明図。
【発明を実施するための形態】
【００２１】
以下、本発明の一実施形態を、図面を参照して説明する。
【００２２】
このダイヤル錠装置は、図1に示すようなセキュリティボックスや収納具等の家具の筐体１１に付帯する扉２を閉止位置にロックするために用いられるもので、照合番号入力部として図２及び図３に示すダイヤルユニット３と図２及び図４に示す施錠部４とを施解錠切替部５を介して関連づけ、ダイヤルユニット３を構成する各ダイヤル３ａ〜３ｄが照合状態となることにより自動的に作動してロック状態にある施錠部４を図４→図５のように扉２の開成を許容するロック解除状態に移行させるとともに、扉を開け始めてから閉めるまでの過程で扉２に生じる状態変化から取り出した作動力を利用して、ダイヤル図３→図６のようにリセットし、そのまま扉を閉止することによって、再び図４に示したように扉２の開成を禁止するロック状態に移行させるようにしている。
【００２３】
具体的に説明すると、ダイヤルユニット３は、図２、図３、図６〜図８に示すように、共通のシャフト３１回りに相互に拘束することなく回転可能に設けられた４個のダイヤル３ａ〜３ｄと、各々のダイヤルに３ａ〜３ｄ一体回転し得るように設けたリセット歯車３２ａ〜３２ｄ及び照合番号設定板３３ａ〜３３ｄと、前記シャフト３１に平行なシャフト３４ｓに同期回転し得るように取り付けられそれらのリセット歯車３２ａ〜３２ｄにそれぞれ噛合可能な位置に駆動歯車３４ａ〜３４ｄを配置した駆動歯車群３４と、昇降動作によりこの駆動歯車群３４を正逆回転させる昇降杆３０とを備える。
【００２４】
照合番号設定板３３ａ〜３３ｄは、各々のダイヤル３ａ〜３ｄの照合番号が正面に位置したとき、そこから所定角度変位した部位に図７及び図９（ａ）に示すような凹所３３ａｘ〜３３ｄｘを有し、この凹所３３ａｘ〜３３ｄｘが整列したときのみ後述する照合検出部３５を構成する検出板３５ａ〜３５ｄに突設した検出端３５ａｘ〜３５ｄｘを凹所３３ａｘ〜３３ｄｘに係合させるようにしている。図８及び図９（ｂ）に示すリセット歯車３２ａ〜３２ｄには、リセット位置（図示例ではゼロが揃うゼロリセット位置）で整列する歯欠損部３２ａｘ〜３２ｄｘが設けてある。一方、駆動歯車群３４は、それぞれ扇形の駆動歯車３４ａ〜３４ｄの外周に歯を形成したもので、ダイヤル操作時には図３及び図８に示すようにリセット歯車３２ａ〜３２ｄとの噛み合いを解除された待機位置にあり、そこからシャフト３４ｓ回りに一斉に回転することによって、リセット歯車３２ａ〜３２ｄを回転させ、図１０に示すように各々のリセット歯車３２ａ〜３２ｄの欠損部３２ａｘ〜３２ｄｘまで来たとき、つまり図６及び図９（ｂ）に示す例えばゼロリセット位置まで回転したときに、リセット歯車３２ａ〜３２ｄとの噛合が解除され、その送り動作を止めるものである。したがって、一旦この状態になった後は、再び駆動歯車３４ａ〜３４ｄが回転してもリセット歯車３２ａ〜３２ｄと干渉することがなく、駆動歯車３４ａ〜３４ｄからなる駆動歯車群３４は再び図３及び図８に示す待機位置に戻ることができる。そして、この駆動歯車群３４は前記昇降杆３０を取り付けた昇降ブラケット３００を介して図２、図４及び図５に示す作動リンク３７に接続され、この作動リンク３７に扉２の開閉動作を利用した作動力を入力することによって、駆動歯車群３４を介してリセット歯車３２ａ〜３２ｄのゼロリセット動作等を引き起こすようにしている。
【００２５】
一方、図７に示す照合検出部３５は、前記シャフト３１に平行なシャフト３５ｓ回りに同期回転し得るように取り付けて各々対応する照合番号設定板３３ａ〜３３ｄの外周に摺接ないし近接する位置に検出端３５ａｘ〜３５ｄｘを突出させた４枚の検出板３５ａ〜３５ｄからなるもので、その検出端３５ａｘ〜３５ｄｘが凹所３３ａｘ〜３３ｄｘに嵌まる方向に検出板３５ａ〜３５ｄはバネ３５ｐで押し付けられている。そして、４つの照合番号設定板の凹所３３ａｘ〜３３ｄｘが合致したとき、すなわち番号が照合したときに始めて、凹所３３ａｘ〜３３ｄｘが揃い、それらの検出板３５ａ〜３５ｄは照合非検出位置からシャフト回りに回転して検出端３５ａｘ〜３５ｄｘが凹所３３ａｘ〜３３ｄｘに嵌まる照合検出位置にまで回転することができる。
【００２６】
他方、この照合検出部３５の近傍には、図４、図５及び図７に示すように、シャフト３１，３５ｓと直交する方向に進退してケーシングＣの裏面から突没する係合部たるブロック体状のデッドボルト３６が配置してあり、このデッドボルト３６は他に規制力が働かなければバネ３６ａにより図１１に示すようにケーシングＣの裏面側に突出する方向に押し付けられて移動するように構成してあり、また、上記検出板３５ａ〜３５ｄが照合状態を検出して図１１→図７のように回転したときに、これに引っ張られて没入位置に移動するように関連づけられている。このデッドボルト３６はピン状のものであっても構わない。
【００２７】
施解錠切替部５は、図４及び図８等に示すように、ケーシングＣの裏面に密着させた状態で軸５１回り回転可能に配置した板状のもので、一端部５２側を施錠部４に接続され、他端部５３側に設けた窓５４を照合検出部３５の作動を通じて突没する係合部であるデッドボルト３６を選択的に係合させる位置に位置づけている。この施解錠切替部５は、図４に示すようにその窓５４をデッドボルト３６と合致する位置に位置づけたときに一端部５２が施錠部４をロック位置に保持し、図５に示すようにデッドボルト３６が没入してその窓５４がデッドボルト３６から外れる位置まで施解錠切替部５が軸５１回りに回転移動したときに一端部５２が施錠部４をロック解除位置に移動させる。この施解錠切替部５は、図示しないバネによってロック解除位置に向かって押し付けられており、照合検出部３５が番号の照合を検出してデッドボルト３６が没入した途端に、ロック位置からロック解除位置に移行する。
【００２８】
施錠部４は、この実施形態の場合、図４及び図５の間で上下動することによって扉２の中央に設けた把手２１の軸２１ａと扉２の上下の縁部に設けたラッチ２２の軸２２ａとを選択的に断接するクラッチ４１を有したもので、前述した施解錠切替部５はこのクラッチ４１の上下動を引き起こすように構成され、クラッチ４１が上昇すると軸２１ａ、２２ａ同士を接続して把手２１をロック解除状態にし、クラッチ４１が降下すると軸２１ａ、２２ａ同士の接続を解除して把手２１をロック状態にするものである。
【００２９】
したがって、照合検出部３５が照合またはリセットされたことを検出してデッドボルト３６を突没動作させ、その突没動作が施解錠切替部５のロック位置又はロック解除位置への移動による施錠部４の切替動作に直接つながっている
【００３０】
さらに、この実施形態は、上述したように扉２を閉めるまでの過程で扉２に生じる状態変化から取り出した作動力を利用してダイヤル３ａ〜３ｄをリセットし、また次に扉２を閉止した際に再度の開成を禁止するロック状態に移行させるために、扉２に生じる状態変化である開閉動作を利用して、扉２を取り付けた筐体１から施錠部４を再びロック状態に向かわせる作動力となる引っ張り力を取り出すようにしている。
【００３１】
具体的には、図５に示すように筐体２の側板２２に紐６の一端部６１を接続し、他端部６２をバネ６３を介して前記作動リンク３７に接続したもので、この実施形態の扉２が持出し兆番に支持されていて扉２を開けるにしたがって紐２の他端部６２が作動リンク３７から遠ざかる方向に取り残されることを利用して、紐２の他端部６２を作動リンク３７に接続することで当該作動リンク３７を引っ張り、これにより作動リンク３７を引っ張り力により軸３７ａ回りに回転させて、昇降ブラケット３００を介して前記昇降杆３０を引き上げるようにしている。また、前記ケーシングＣの裏面には図５に示すカム３８が軸３８ａ回りに取り付けてあり、紐６によりこのカム３８を同時に回転させて、カム３８の回転端３８ｂで施解錠切替部５を図４に示す方向に押し戻して、ロック位置に復帰させるようにしている。
【００３２】
なお、図４及び図５において符号３９で示すものは、紐６の緊張が無くなったときに作動リンク３７を介して昇降杆３０を降下させるためのバネである。また、バネ６３は前記バネ３９よりも弾性係数が大きく設定してあり、紐６が緩んでいるときは機能しないが、扉２の開成状態が大きくなり施解錠切替部５がデッドボルト３６にロックされて更に扉２が開成しようとする際に紐６の緊張を逃すためのものである。さらに、図において符号７で示すものは、昇降ブラケット３００に取り付けた樹脂製のダイヤル操作補助部材であり、このダイヤル操作補助部材７の先端には弾性変形可能な押さえ片７１ａ〜７１ｄが形成してある。すなわち、前述したダイヤル３ａ〜３ｄは、数字の表記された部位が凸となりその間が凹となるような凹凸形状が付してあり、昇降ブラケット３００の降下時に押さえ片７１ａ〜７１ｄが各ダイヤル３ａ〜３ｄの凹となる部位に弾性的に押し付けられた状態で、ダイヤル操作をクリック感覚をもって行い得るようにしている。
【００３３】
以下、本実施形態の作動について説明する。
【００３４】
扉２の閉止時において、ダイヤル３ａ〜３ｄが非照合状態（例えばゼロリセット状態）にあり施錠部４が図４に示すロック状態にあるときは、照合検出部３５の検出板３５ａ〜３５ｄは図１１に示す照合非検出位置にあり、施解錠切替部５は図１２に示すロック位置にあって、係合部であるデッドボルト５４は図４、図１１及び図１２に示すように突出して施解錠切替部５の窓に嵌まり合って施解錠切替部５の動きを規制している。施解錠切替部５の一端部５２で施錠部４を構成するクラッチ４１を切っているため、把手２１を操作しても空転するだけで、把手２１からラッチ２２に操作力が伝達されることはない。
【００３５】
この状態からダイヤル３ａ〜３ｄを操作すると、照合番号が合致した段階でダイヤル３ａ〜３ｄに付帯させた照合番号設定板３３ａ〜３３ｄの凹所３３ａｘ〜３３ｄｘが図９（ａ）に示すように整列し、照合検出板３５ａ〜３５ｄが図１１の照合非検出位置から図７の照合検出位置にまで回転してその検出端３５ａｘ〜３５ｄｘが凹所３３ａｘ〜３３ｄｘに嵌まる結果、係合部であるデッドボルト３６を図１１→図７のように没入させて施解錠切替部５の窓５４から退避させる。これにより、施解錠切替部５はバネに押されて図５及び図１３に示すように一端部５２でクラッチ４１を接続するロック解除位置に移行し、把手２１に入力する操作力をラッチ２２に伝えて扉２の開成を許容する。
【００３６】
その後、扉２が開いていくと、紐６によって作動リンク３７が引っ張られ、図３、図８→図６等のように待機位置にある駆動歯車群３４を回転させる。各ダイヤル３ａ〜３ｄの側部にはリセット歯車３２ａ〜３２ｄが一体に設けてあり、作動リンク３７により昇降杆３０が上動されて各駆動歯車３４ａ〜３４ｄが回転すると、この駆動歯車３４ａ〜３４ｄがダイヤルに付帯するリセット歯車３２ａ〜３２ｄに噛み合ってダイヤル３ａ〜３ｄを回転させる。各リセット歯車３２ａ〜３２ｄには図７及び図９に示した歯欠損部３２ａｘ〜３２ｄｘが設けてあり、ゼロリセット位置で歯欠損部が揃って駆動歯車３４ａ〜３４ｄとの噛み合いが解除され、扉２が全開するまでの間に全てのダイヤル３ａ〜３ｄがゼロリセットされる。一方、最初のダイヤル３ａ〜３ｄが動き出すと、凹所３３ａｘ〜３３ｄｘから照合検出板３５ａ〜３５ｄの検出端３５ａｘ〜３５ｄｘを追い出すので、照合検出板３５ａ〜３５ｄは図７→図１１に示すように照合非検出位置に移動するが、係合部であるデッドボルト３６は照合検出板３５ａ〜３５ｄからの規制は解かれるものの、施解錠切替部５の窓５４がずれているため図１３に示すように突出動作を禁止された状態となり、これに追従せずにバネ３６ａで押された状態で没入位置を保つ。他方、扉２を開けていく動作に伴って、図１３→図１４に示すようにカム３８が回転して、施解錠切替部５を元に戻す方向に押し付けるので、施解錠切替部５が図１２に示すロック位置にきたときにその窓５４とデッドボルト３６とが対向する。このとき、それまで施解錠切替部５に突出を禁止されていたデッドボルト３６はその規制を解除されるので、突出して窓５４に係り合い、施解錠切替部５は再び一端部５２でクラッチ４１を切って施錠部４をロック状態に保持する。
【００３７】
扉２を閉めていくと、紐６の緊張がなくなり、作動リンク３７に取り付けたバネ３９に押し付けられて昇降杆３０が降りてくる。これに伴い、駆動歯車３４ａ〜３４ｄは図６及び図１０に示すリセット位置から図３及び図７に示す待機位置に戻る方向に回転するが、ダイヤル３ａ〜３ｄに付帯するリセット歯車３２ａ〜３２ｄとは縁が切れているため、支障なく回転することができる。そして、扉２を閉める段階では、ラッチ４１はその一部に設けた図４に示す係合爪２２ｘを筐体１の対応位置に設けた図示しない係り合い部に弾性的に係り合わせて、扉２により筐体１の開口を閉止する。
【００３８】
これにより、系は図１２等に示した作動説明の最初の段階に戻り、扉２の閉止時において、ダイヤル３ａ〜３ｄが非照合状態（ゼロリセット状態）となり施錠部４が図４に示すロック状態に保持される。照合検出部３５の検出板３５ａ〜３５ｄは図１１に示す照合非検出位置にあり、施解錠切替部５は図１２に示すロック位置にあって、係合部であるデッドボルト５４は図４、図１１及び図１２に示すように突出して施解錠切替部５の窓に嵌まり合って施解錠切替部５の動きを規制する。施解錠切替部５の一端部５２で施錠部４を構成するクラッチ４１を切るため、把手２１を操作しても空転するだけで、把手２１からラッチ２２に操作力が伝達されることはない。
【００３９】
以上のように、本実施形態のダイヤル錠装置は、ダイヤルユニット３と扉２の施錠部４とを関連づけ、ダイヤル３ａ〜３ｄが照合状態となることにより自動的に作動してロック状態にある施錠部４を扉２の開成を許容するロック解除状態に移行させるとともに、ロック解除以後に扉２に生じる状態変化から取り出した作動力を利用して再びロック状態に向かう作動をなすようにしたものである。
【００４０】
このため、ダイヤルを揃えて摘みを回すことにより開錠して把手を引くという従来のものに比して、ダイヤル錠でありながら照合状態にした後は即座に扉２を開けることができるので、少なくとも摘みを回すといった別段の開錠操作が不要となり、操作をワンアクション減らすことができる。そして、ロック解除以後も扉２の開閉動作等を利用して次のロック状態に向かわせるので、扉を開けた後に摘みを回してロック状態にする従来のものに比して、ダイヤル錠でありながら再度のロックにもスムーズに移行することができ、操作力も殆ど要しないものとなる。このような効果は、再度のロック状態に向かう作動時に必ずしも扉２を閉めた際に自動的にロックが掛かるものにせずとも得られるものである。
【００４１】
また、ロック解除以後に扉２に生じる状態変化から取り出した作動力を利用してダイヤル３ａ〜３ｄをリセットするようにしているので、手動でダイヤルを別の番号に回したり、摘みを回してリセットする従来のものに比して、扉２を開けるための操作等を利用してダイヤル３ａ〜３ｄが自動リセットされるので、リセットのための別段の操作を不要にし、操作も極めて軽快に行うことができる。
【００４２】
特に、扉２が全開する前のある程度開成した段階でダイヤル３ａ〜３ｄがリセットされることになるので、扉２を開けた状態で照合番号が周囲の者に視認されることを有効に回避して、セキュリティ効果を有効に高めることができる。
【００４３】
具体的には、各ダイヤル３ａ〜３ｄごとに一体回転可能な位置に一部に歯欠損部３２ａｘ〜３２ｄｘを有するリセット歯車３２ａ〜３２ｄを設けるとともに、これらのリセット歯車３２ａ〜３２ｄに噛合する位置に駆動歯車３４ａ〜３４ｄを配置し、前記作動力により駆動歯車３４ａ〜３４ｄを回転させてリセット歯車３２ａ〜３２ｄとともにダイヤル３ａ〜３ｄを送り、歯欠損部３２ａｘ〜３２ｄｘで噛合状態が解除された以降に駆動歯車３４ａ〜３４ｄを空転させることを通じて、各リセット歯車３２ａ〜３２ｄの歯欠損部３２ａｘ〜３２ｄｘまでの送り量に応じた番号にダイヤル３ａ〜３ｄをリセットするようにしているので、扉２に生じる状態変化から駆動歯車３４ａ〜３４ｄ及びリセット歯車３２ａ〜３２ｄを介してダイヤル３ａ〜３ｄの自動リセット動作を有効に引き起こすことができる。
【００４４】
さらに、ロック位置又はロック解除位置に移動して施錠部４の状態を切り替える施解錠切替部５を有し、ダイヤル３ａ〜３ｄが照合状態となった際に施解錠切替部５をロック位置からロック解除位置に移動させて施錠部４をロック解除状態にし、扉２に生じる状態変化から取り出した作動力を利用して施解錠切替部５を再びロック位置に向かわせるようにしている。そして、このようにダイヤル３ａ〜３ｄの動きと扉２の動きをともに施解錠切替部５に関連づけることで、ダイヤルを合わせて摘みを回す、或いは扉を開けて摘みを回すといった操作の無駄を施解錠切替部５による一連の動作で好適に解決することができる。
【００４５】
この場合、ダイヤルユニット３に関連づけて照合検出部３５を設け、この照合検出部３５がダイヤル３ａ〜３ｄの照合時に作動して、その作動に基づいてロック位置に拘束されていた施解錠切替部５の拘束を解除するようにしているので、ダイヤルユニット３の照合と施解錠切替部５の作動とを適切に関連づけることができる。
【００４６】
具体的には、扉２に生じる状態変化である開閉動作を利用して、扉２を取り付けた筐体１から施錠部４を再びロック状態に向かわせる際の引っ張り力を作動力として取り出すようにしているので、扉２を開ける際の動作から作動力を取り出す上で簡易かつ適切な構造を実現することができる。
【００４７】
そして、施錠部４が、把手２１に加える操作力を選択的にラッチ２２に伝えるためのクラッチ４１を作動させるものであるため、クラッチ４１を切っている状態では把手２１からダイヤル錠装置に無理な操作力が伝わらないので、ダイヤル錠装置を極力簡素に構成することが可能となる。
【００４８】
以上に加えて、ロック状態に向かう作動が、次に扉２を閉止した際に開成を禁止するロック状態に移行させるものであり、扉を閉めた後に摘みを回して施錠する従来のものに比して、ダイヤル錠でありながら扉２を閉めるだけで施錠できるので、摘みを回すといった別段の施錠操作が不要となり、ここにおいても操作をワンアクション減らすことができる。そして、ロック状態への移行も扉２の動作等を利用してなされるので、操作力を殆ど要せずに軽快に行い得るものとなる。
【００４９】
なお、各部の具体的な構成は、上述した実施形態のみに限定されるものではなく、本発明の趣旨を逸脱しない範囲で種々変形が可能である。
【００５０】
例えば施錠部が、把手に加える操作力をラッチに伝えるための伝達部を選択的に拘束するものである場合には、既存の施錠部に後付けによっても本発明を好適に適用することができる。
【００５１】
また、上記実施形態では、ダイヤルが照合状態となることにより自動的に作動してロック状態にある施錠部を扉の開成を許容するロック解除状態に移行させ、その後に扉の把手による操作を可能としたが、ダイヤルが照合するだけでバネ等により扉を押し出すタイプのものにすれば、更に把手操作を不要にすることができる。
【００５２】
さらに、上記実施形態では扉に生じる状態変化から作動力を取り出すために扉と筐体との間に設けた紐を利用したが、リンクやワイヤ等を用いても基本的に上記と同様の作用効果を得ることができる。
【００５３】
さらにまた、ロック解除以後とは、ロック解除して扉を開ける方向に移動させる状態は勿論のこと、広義には扉を閉める方向に移動させる状態のものロック解除以後に含まれる
【符号の説明】
【００５４】
１…筐体
２…扉
３…ダイヤルユニット
３ａ、３ｂ、３ｃ、３ｄ…ダイヤル
４…施錠部
５…施解錠切替部
２１…把手
３２ａ〜３２ｄ…リセット歯車
３２ａｘ〜３２ｄｘ…歯欠損部
３４ａ〜３４ｄ…駆動歯車
３５…照合検出部
４１…クラッチ
【図１】
2014012985.tif 000003
【図２】
2014012985.tif 000004
【図３】
2014012985.tif 000005
【図４】
2014012985.tif 000006
【図５】
2014012985.tif 000007
【図６】
2014012985.tif 000008
【図７】
2014012985.tif 000009
【図８】
2014012985.tif 000010
【図９】
2014012985.tif 000011
【図１０】
2014012985.tif 000012
【図１１】
2014012985.tif 000013
【図１２】
2014012985.tif 000014
【図１３】
2014012985.tif 000015
【図１４】
2014012985.tif 000016
【手続補正書】
【提出日】平成25年10月15日(2013.10.15)
【手続補正１】
【補正対象書類名】特許請求の範囲
【補正対象項目名】全文
【補正方法】変更
【補正の内容】
【特許請求の範囲】
【請求項１】
ダイヤルユニットと扉の施錠部とを関連づけ、ダイヤルが照合状態となることにより自動的に作動してロック状態にある施錠部を扉の開成を許容するロック解除状態に移行させるとともに、ロック解除以後に扉に生じる状態変化から取り出した作動力を利用して再びロック状態に向かう作動をなすようにしており、さらに、ロック解除以後に扉に生じる状態変化から取り出した作動力を利用して扉がある程度開成した段階でダイヤルをリセットするようにしていることを特徴とするダイヤル錠装置。
【請求項２】
各ダイヤルごとに一体回転可能な位置に一部に歯欠損部を有するリセット歯車を設けるとともに、これらのリセット歯車に噛合する位置に駆動歯車を配置し、前記作動力により駆動歯車を回転させてリセット歯車とともにダイヤルを送り、歯欠損部で噛合状態が解除された以降に駆動歯車を空転させることを通じて、各リセット歯車を歯欠損部まで送ってダイヤルをリセットするようにしている請求項１記載のダイヤル錠装置。
【請求項３】
ロック位置又はロック解除位置に移動して施錠部の状態を切り替える施解錠切替部を有し、ダイヤルが照合状態となった際に前記施解錠切替部をロック位置からロック解除位置に移動させて施錠部をロック解除状態にし、扉に生じる状態変化から取り出した作動力を利用して施解錠切替部を再びロック位置に向かわせるようにしている請求項１又は２記載のダイヤル錠装置。
【請求項４】
ダイヤルユニットに関連づけて照合検出部を設け、この照合検出部がダイヤルの照合時に作動して、その作動に基づいてロック位置に拘束されていた施解錠切替部の拘束を解除するようにしている請求項３記載のダイヤル錠装置。
【請求項５】
扉に生じる状態変化である開閉動作を利用して、扉を取り付けた筐体から施錠部を再びロック状態に向かわせる際の引っ張り力を作動力として取り出すようにしている請求項１〜４記載のダイヤル錠装置。
【請求項６】
施錠部が、把手に加える操作力を選択的にラッチに伝えるためのクラッチを作動させるものである請求項１〜５記載のダイヤル錠装置。
【請求項７】
施錠部が、把手に加える操作力をラッチに伝えるための伝達部を選択的に拘束するものである請求項１〜５記載のダイヤル錠装置。
【請求項８】
ロック状態に向かう作動が、次に扉を閉止した際に開成を禁止するロック状態に移行させるものである請求項１〜７記載のダイヤル錠装置。
【手続補正２】
【補正対象書類名】明細書
【補正対象項目名】０００８
【補正方法】変更
【補正の内容】
【０００８】
先ず、本発明のダイヤル錠装置は、ダイヤルユニットと扉の施錠部とを関連づけ、ダイヤルが照合状態となることにより自動的に作動してロック状態にある施錠部を扉の開成を許容するロック解除状態に移行させるとともに、ロック解除以後に扉に生じる状態変化から取り出した作動力を利用して再びロック状態に向かう作動をなすようにしており、さらに、ロック解除以後に扉に生じる状態変化から取り出した作動力を利用して扉がある程度開成した段階でダイヤルをリセットするようにしている
【手続補正３】
【補正対象書類名】明細書
【補正対象項目名】００１０
【補正方法】変更
【補正の内容】
【００１０】
また、ロック解除以後に扉に生じる状態変化から取り出した作動力を利用してダイヤルをリセットするようにしているため、扉を開けるための操作等を利用してダイヤルが自動リセットされるので、リセットのための別段の操作を不要にし、操作も極めて軽快に行うことができる。なお、ここに言うリセットには、いわゆるゼロリセットとする態様のほか、特定番号にリセットする態様、或いは照合状態をランダムに解除する態様が含まれる。以下、広義でリセットと言うときには同様である。
【手続補正４】
【補正対象書類名】明細書
【補正対象項目名】００１１
【補正方法】変更
【補正の内容】
【００１１】
さらに、扉がある程度開成した段階でダイヤルをリセットするようにしているため、扉を開け終わるまでに照合番号がリセットされるので、扉を開けた状態で照合番号が周囲の者に視認されることを有効に回避することができる。